(57)【要約】【課題】エコーキャンセラーが意図した通りに動かないことに起因する交信エラーを防止する通信端末装置及び通信システムを提供することを目的とする。【解決手段】受信したＤＩＳ信号に基づいて、Ｖ．８通信モードの能力の有無を検出し（Ｓ４）、受信側の通信端末装置にＶ．８通信モードの能力が有ると検出した場合に、所定時間待機した後にＤＩＳ信号に応答するか（Ｓ６）、１回目のＤＩＳ信号に応答せずに次のＤＩＳ信号を受信するまで待機するか（Ｓ７）して、所定時間（４００ｍｓ以上）の無音状態を生成する。この無音状態により、ＩＰ網制御のエコーキャンセラーが、オフ状態からオンに戻って意図した通りに働くようになり、エコーの影響を受けなくなって、交信エラーは発生しない。【選択図】図３
2007194725.tif 000002
【特許請求の範囲】
【請求項１】
受信したＤＩＳ信号に基づいて、ＩＴＵ勧告Ｖ．８通信モードの能力の有無を検出する検出手段と、該検出手段によりＶ．８通信モードの能力が有ると検出した場合に、前記受信したＤＩＳ信号に対する応答として、所定時間の無音状態を生成するように制御する制御手段とを備えることを特徴とする通信端末装置。
【請求項２】
前記制御手段は、受信したＤＩＳ信号に対して応答するまでの間に、前記所定時間の無音時間を設定することを特徴とする請求項１記載の通信端末装置。
【請求項３】
前記制御手段は、１回目に受信したＤＩＳ信号に応答せずに、次に受信するＤＩＳ信号まで待機することを特徴とする請求項１記載の通信端末装置。
【請求項４】
ＩＴＵ勧告Ｖ．３４通信モードの通信機能が履行不可であることを特徴とする請求項１乃至３のいずれかに記載の通信端末装置。
【請求項５】
ＩＰ網を介したファクシミリ通信を行うことを特徴とする請求項１乃至４のいずれかに記載の通信端末装置。
【請求項６】
ＩＴＵ勧告Ｖ．３４通信モードの通信機能が履行不可である送信側の通信端末装置と、Ｖ．３４通信モードの通信機能が履行可能である通信端末装置との間で通信を行う通信システムにおいて、前記送信側の通信端末装置は、受信したＤＩＳ信号に基づいて、ＩＴＵ勧告Ｖ．８通信モードの能力の有無を検出する検出手段と、該検出手段によりＶ．８通信モードの能力が有ると検出した場合に、前記受信したＤＩＳ信号に対する応答として、所定時間の無音状態を生成するように制御する制御手段とを備えることを特徴とする通信システム。
【発明の詳細な説明】
【技術分野】
【０００１】
本発明は、ＩＴＵ勧告の通信モードにしたがって通信を行うファクシミリ装置などの通信端末装置、及び、通信端末装置間でデータ通信を行う通信システムに関する。
【背景技術】
【０００２】
公衆電話回線を介して画像データを伝送するためのファクシミリモデムとして、従来よりも高速である（最大データ速度：３３．６ｋｂｓ）、いわゆる「スーパーＧ３」と呼ばれるＩＴＵ勧告Ｖ．３４通信モードのファクシミリモデムが実用化されている。また、インターネットプロトコルの通信手順を用いた通信網であるＩＰ網を利用して、ファクシミリ通信が行われるようになってきている。
【０００３】
Ｖ．８及びＶ．３４通信モードに従って通信が開始される場合、回線接続後、まず受信側の通信端末装置は送信側の通信端末装置へＡＮＳａｍ信号を送出する。その後、ＣＭ信号、ＪＭ信号のやりとりにより、例えば相手側の通信端末装置がファクシミリ装置であると認識した場合、Ｖ．８手順に従ってファクシミリ通信が開始され、続いてＶ．３４手順に移行して通信が開始される。
【０００４】
このようなＶ．８及びＶ．３４通信モードによる通信技術に関して幾つかの提案がなされている（特許文献１，２，３など）。特許文献１には、受信側の通信端末装置が送信側の通信端末装置へＡＮＳａｍ信号を送出してもＣＭ信号を受信できない場合にＤＩＳ信号を送り、送信側の通信端末装置からＣＩ信号を受信したときに、受信側の通信端末装置が再度ＡＮＳａｍ信号を送ることが記載されている。特許文献２には、Ｖ．３４通信モード機能を有する通信端末装置においてポーリング通信を有効に行える技術が開示されている。特許文献３には、ＩＰ網を介してＶ．３４通信モードによる通信を支障なく行える技術が開示されている。
【特許文献１】特開２００１−２２３８６７号公報
【特許文献２】特開平１０−３０４１７２号公報
【特許文献３】特開２００３−２５９０９９号公報
【発明の開示】
【発明が解決しようとする課題】
【０００５】
送信側の通信端末装置がＶ．３４通信モードによる通信機能を果たせない通信端末装置（以下、非Ｖ．３４端末とも言う）であり、受信側の通信端末装置がＶ．３４通信モードによる通信機能を果たせる通信端末装置（以下、Ｖ．３４端末とも言う）である場合、以下のような理由により、ＩＰ網を介したファクシミリ通信における網制御の一つであるエコーキャンセラーが意図した通りに動かず、交信エラーを招くという問題がある。
【０００６】
上記のような送信側の非Ｖ．３４端末と受信側のＶ．３４端末との組合せの場合、受信側のＶ．３４端末はＡＮＳａｍ信号（２１００Ｈｚの位相反転信号）を最初に送出する。ＩＰ網のエコーキャンセラーは、このＡＮＳａｍ信号における２１００Ｈｚの位相反転を検出して、自身をオフにする。このようにエコーキャンセラーはオフとなるが、送信側の非Ｖ．３４端末はＡＮＳａｍ信号を検出できない。
【０００７】
ＩＴＵ勧告によれば、ＡＮＳａｍ信号に応答しない場合、所定の通信モードにフォールバックすることが規定されており、ファクシミリ通信では非Ｖ．３４通信モードの手順に移行する。よって、受信側のＶ．３４端末は、Ｖ．２１通信モードのＤＩＳ信号を送出することになる。一方、送信側の非Ｖ．３４端末は、ＡＮＳａｍ信号は検出できないが、その後のＤＩＳ信号は検出できるため、そのＤＩＳ信号の応答であるＤＣＳ信号を送出して、ファクシミリ通信の手順は進行していく。
【０００８】
しかしながら、この場合、エコーキャンセラーはオフ状態となっているため、送信側の非Ｖ．３４端末での交信がエコーの影響を受けて、しばしば交信エラーが発生することになる。
【０００９】
本発明は斯かる事情に鑑みてなされたものであり、上述したようなエコーキャンセラーが意図した通りに動かないことに起因する交信エラーを防止できるファクシミリ装置などの通信端末装置、及び、通信端末装置間でデータ通信を行う通信システムを提供することを目的とする。
【課題を解決するための手段】
【００１０】
本発明に係る通信端末装置は、受信したＤＩＳ信号に基づいて、ＩＴＵ勧告Ｖ．８通信モードの能力の有無を検出する検出手段と、該検出手段によりＶ．８通信モードの能力が有ると検出した場合に、前記受信したＤＩＳ信号に対する応答として、所定時間の無音状態を生成するように制御する制御手段とを備えることを特徴とする。
【００１１】
本発明の通信端末装置にあっては、受信したＤＩＳ信号に基づいて、Ｖ．８通信モードの能力の有無を検出し、相手先の通信端末装置にＶ．８通信モードの能力が有ると検出した場合に、所定時間（４００ｍｓ以上）の無音状態を生成する。よって、この無音状態により、エコーキャンセラーがオフ状態からオンに戻って意図した通りに働くようになり、エコーの影響を受けなくなって、交信エラーは発生しない。
【００１２】
本発明に係る通信端末装置は、前記制御手段が、受信したＤＩＳ信号に対して応答するまでの間に、前記所定時間の無音時間を設定することを特徴とする。
【００１３】
本発明の通信端末装置にあっては、ＤＩＳ信号を受信した場合、所定時間（４００ｍｓ以上）待機した後に応答する。よって、所定時間（４００ｍｓ以上）の無音状態を容易に生成できる。
【００１４】
本発明に係る通信端末装置は、前記制御手段が、１回目に受信したＤＩＳ信号に応答せずに、次に受信するＤＩＳ信号まで待機することを特徴とする。
【００１５】
本発明の通信端末装置にあっては、１回目のＤＩＳ信号に応答せずに、次のＤＩＳ信号を受信するまで待機する。よって、所定時間（４００ｍｓ以上）の無音状態を容易に生成できる。
【００１６】
本発明に係る通信端末装置は、ＩＴＵ勧告Ｖ．３４通信モードの通信機能が履行不可であることを特徴とする。
【００１７】
本発明の通信端末装置にあっては、送信側の通信端末装置が非Ｖ．３４端末であっても、エコーキャンセラーが意図通りに働き、エコーの影響を受けることなく交信エラーは発生しない。
【００１８】
本発明に係る通信端末装置は、ＩＰ網を介したファクシミリ通信を行うことを特徴とする。
【００１９】
本発明の通信端末装置にあっては、ＩＰ網を介したファクシミリ通信における交信エラーの発生を防止する。
【００２０】
本発明に係る通信システムは、ＩＴＵ勧告Ｖ．３４通信モードの通信機能が履行不可である送信側の通信端末装置と、Ｖ．３４通信モードの通信機能が履行可能である通信端末装置との間で通信を行う通信システムにおいて、前記送信側の通信端末装置は、受信したＤＩＳ信号に基づいて、ＩＴＵ勧告Ｖ．８通信モードの能力の有無を検出する検出手段と、該検出手段によりＶ．８通信モードの能力が有ると検出した場合に、前記受信したＤＩＳ信号に対する応答として、所定時間の無音状態を生成するように制御する制御手段とを備えることを特徴とする。
【００２１】
本発明の通信システムにあっては、送信側の非Ｖ．３４端末と受信側のＶ．３４端末との組合せにおいて、送信側の非Ｖ．３４端末が、受信したＤＩＳ信号に基づいて、Ｖ．８通信モードの能力の有無を検出し、受信側の通信端末装置にＶ．８通信モードの能力が有ると検出した場合に、所定時間（４００ｍｓ以上）の無音状態を生成する。よって、この無音状態により、エコーキャンセラーがオフ状態からオンに戻り、送信側の非Ｖ．３４端末の交信はエコーの影響を受けなくなって、交信エラーは発生しない。
【発明の効果】
【００２２】
本発明では、受信したＤＩＳ信号に基づいて、ＩＴＵ勧告Ｖ．８通信モードの能力の有無を検出し、相手先の通信端末装置にＶ．８通信モードの能力が有ると検出した場合に、所定時間（４００ｍｓ以上）の無音状態を生成するようにしたので、ＡＮＳａｍ信号によってオフとなったエコーキャンセラーを元のオン状態に戻すことができ、エコーキャンセラーが意図した通りに働かないことに起因する交信エラーの発生を防止することができる。
【発明を実施するための最良の形態】
【００２３】
以下、本発明をその実施の形態を示す図面を参照して具体的に説明する。なお、本発明は、以下の実施の形態に限定されるものではない。
【００２４】
図１は、本発明に係る通信端末装置としてのファクシミリ装置の構成を示す図である。ファクシミリ装置２０は、制御部１，読取部２，記録部３，表示部４，操作部５，ＲＯＭ６，ＲＡＭ７，画像メモリ８，コーデック９，モデム１０，ＮＣＵ（Network Control Unit）１１などを備えている。
【００２５】
制御部１は、具体的にはＣＰＵで構成されており、バス１２を介してファクシミリ装置２０の上述したようなハードウェア各部と接続されていて、それらを制御すると共に、ＲＯＭ６に格納された制御プログラムに従って、種々のソフトウェア的機能を実行する。制御部１は、後述する種々の所定時間を計測するためのタイマ（図示せず）を内蔵している。また、制御部１は、後述するような動作処理を行うことにより、受信したＤＩＳ信号に基づいて、Ｖ．８通信モードの能力の有無を検出する検出手段、及び、所定時間の無音状態を生成するように制御する制御手段として機能する。
【００２６】
読取部２は、例えばＣＣＤを利用した光学系で原稿を読み取り、読み取った画像データを出力する。記録部３は、電子写真方式のプリンタ装置であって、読取部２にて読み取った原稿の画像データ、ファクシミリ通信により受信した画像データなどに応じた画像を用紙にプリントアウトする。
【００２７】
表示部４は、液晶表示装置またはＣＲＴディスプレイなどの表示装置であり、ファクシミリ装置２０の動作状態を表示したり、ユーザへ操作入力を促す画面またはユーザへ警告を発する画面を表示したりする。操作部５は、ファクシミリ装置２０を操作するために必要な文字キー，テンキー，短縮ダイヤルキー，ワンタッチダイヤルキー，各種のファンクションキーなどを備えている。なお、表示部４をタッチパネル方式とすることにより、操作部５の各種のキーの内の一部または全部を代用することも可能である。
【００２８】
ＲＯＭ６は、ファクシミリ装置２０の動作に必要な種々のソフトウェアの制御プログラムを格納する。ＲＡＭ７は、ソフトウェアの実行時に発生する一時的なデータを記憶する。画像メモリ８は、ＤＲＡＭなどで構成され、原稿を読み取って得られる画像データ、他のファクシミリ装置から受信した画像データなどを記憶する。コーデック９は、送信する画像データを所定の圧縮方式に従って圧縮したり、受信した画像データを所定の圧縮方式に従って伸長する。
【００２９】
モデム１０は、バス１２に接続されており、ファクシミリ通信が可能なファクシミリモデムから構成されている。このモデム１０は、Ｖ．３４通信モードの機能を備えていない非Ｖ．３４通信モードのファクシミリモデムである。また、モデム１０は、同様にバス１２に接続されたＮＣＵ１１と直接的に接続されている。ＮＣＵ１１は、公衆電話回線（ＰＳＴＮ：Public Switched Telephone Network)Ｌとの閉結及び開放の動作を行うハードウェアであり、必要に応じてモデム１０をＰＳＴＮと接続する。
【００３０】
図１には、公衆電話回線Ｌに接続される他のファクシミリ装置１２０も示している。このファクシミリ装置１２０は、Ｖ．３４通信モードの機能を備えているＶ．３４通信モードのファクシミリモデムを有する。
【００３１】
そして、例えばこれらのファクシミリ装置２０とファクシミリ装置１２０とを含む通信システムにあって、ＩＰ網を用いたファクシミリ通信が行われる。ＩＰ網を用いてファクシミリ通信を行う際には、例えばファクシミリ装置２０（送信側の通信端末装置）が公衆電話網に接続され、ファクシミリ装置１２０（受信側の通信端末装置）が公衆電話網に接続されている場合、ファクシミリ装置２０は直近のＩＰ網の第１ゲートウェイ装置を介してＩＰ網にアクセスした後、ファクシミリ装置１２０の直近となる第２ゲートウェイ装置を介してファクシミリ装置１２０に接続する。そして、ファクシミリ装置２０と第１ゲートウェイ装置との間、及び、第２ゲートウェイ装置とファクシミリ装置１２０との間は回線交換方式で通信が行われ、第１ゲートウェイ装置と第２ゲートウェイ装置との間はパケット交換方式で通信が行われる。
【００３２】
非Ｖ．３４端末である本発明のファクシミリ装置２０は、発呼してＤＩＳ信号を受信した際に、受信したＤＩＳ信号に基づいて、Ｖ．８通信モードの能力の有無を検出する。ファクシミリ装置２０は、非Ｖ．３４端末であるため、ＡＮＳａｍ信号は検出できないが、ＤＩＳ信号の各ＢＩＴをチェックすることは可能であり、具体的には、受信したＤＩＳ信号のＮｏ．６のＢＩＴ、すなわちＶ．８CapabilityのＢＩＴをチェックし、そのチェック結果により、Ｖ．８通信モードの能力の有無を検出する。つまり、Ｖ．８CapabilityのＢＩＴが立っていれば、相手先の受信側の通信端末装置はＶ．３４端末であると判断し、立っていなければ、相手先の受信側の通信端末装置は非Ｖ．３４端末であると判断する。
【００３３】
そして、相手先の受信側の通信端末装置にＶ．８通信モードの能力がある、つまり相手先の受信側の通信端末装置がＶ．３４端末であると判断した場合、所定時間（４００ｍｓ以上）の無音状態を生成する。この無音状態を生成する手法としては、ＤＩＳ信号を受信してから所定時間（４００ｍｓ以上）待機した後に応答する方法（第１モード）、または、１回目のＤＩＳ信号に応答せずに次のＤＩＳ信号の受信を待つ方法（第２モード）などを採用する。このような第１モード、第２モードの何れを採用するかの設定は切替えが可能である。
【００３４】
ＩＰ網のエコーキャンセラーは、４００ｍｓ程度の無音状態を検出した場合にオン状態に戻るように規格化されている。そこで、本発明では、ＡＮＳａｍ信号によってオフとされたエコーキャンセラーを元のオン状態に戻すために、上記のような所定時間（４００ｍｓ以上）の無音状態を生成している。
【００３５】
受信側のＶ．３４端末から送出されるＡＮＳａｍ信号により、エコーキャンセラーは、一旦オフとなるが、所定時間（４００ｍｓ以上）の無音状態の生成によってオン状態に戻る。よって、その後の通信処理において、エコーキャンセラーが意図通りに働くことになって、エコーの影響を受けることがなくなり、交信エラーを防止することができる。
【００３６】
このように本発明では、非Ｖ．３４端末であっても、相手先の受信側の通信端末装置の能力を正しく判断することができ、不要な交信エラーを回避することが可能となる。
【００３７】
図２，図３は、本発明の通信端末装置（ファクシミリ装置２０）の画像データを送信する際の動作手順を示すフローチャートである。
【００３８】
制御部１は、操作部５を介したユーザの操作入力（相手先のファクシミリ番号の入力）に応じてダイヤルアップして発呼した後（ステップＳ１）、相手先のファクシミリ装置のオフフックの有無を検知して繋がったか否かを判断する（ステップＳ２）。繋がらない場合（Ｓ２：ＮＯ）、制御部１は、所定の待機時間Ｔ0 が経過したか否かを判断し（ステップＳ１１）、経過していないときには（Ｓ１１：ＮＯ）動作がＳ２に戻る。所定の待機時間Ｔ0 が経過した場合には（Ｓ１１：ＹＥＳ）、動作が終了する。
【００３９】
受信先のファクシミリ装置に繋がった場合（Ｓ２：ＹＥＳ）、制御部１は、ＤＩＳ信号を受信したか否かを判断する（ステップＳ３）。受信しない場合（Ｓ３：ＮＯ）、制御部１は、所定の待機時間Ｔ1 が経過したか否かを判断し（ステップＳ１２）、経過していないときには（Ｓ１２：ＮＯ）動作がＳ３に戻る。所定の待機時間Ｔ1 が経過した場合には（Ｓ１２：ＹＥＳ）、動作が終了する。
【００４０】
受信先のファクシミリ装置からＤＩＳ信号を受信した場合（Ｓ３：ＹＥＳ）、制御部１は、ＤＩＳ信号内のＶ．８CapabilityのＢＩＴがオンであるか否かを判断する（ステップＳ４）。オンでない場合（Ｓ４：ＮＯ）、つまり受信先のファクシミリ装置も非Ｖ．３４端末である場合、特別な処理を行わずに動作はステップＳ８へ進む。
【００４１】
一方、Ｖ．８CapabilityのＢＩＴがオンである場合（Ｓ４：ＹＥＳ）、つまり受信先のファクシミリ装置がＶ．３４端末である場合、制御部１は、Ｖ．３４端末に対する対応として第１モード（ＤＩＳ信号に応答するまで所定時間の待機）が設定されているか否かを判断する（ステップＳ５）。第１モードが設定されている場合（Ｓ５：ＹＥＳ）、制御部１は、５００ｍｓ間だけ待機して（ステップＳ６）、動作がＳ８へ進む。第１モードが設定されていない場合（Ｓ５：ＮＯ）、すなわち第２モード（１回目のＤＩＳ信号は無視して３秒後に到来する２回目のＤＩＳ信号を待機）が設定されている場合、制御部１は、受信したＤＩＳ信号が１回目のＤＩＳ信号であるか否かを判断する（ステップＳ７）。１回目のＤＩＳ信号である場合には（Ｓ７：ＹＥＳ）動作がＳ３に戻る。１回目のＤＩＳ信号でない場合には（Ｓ７：ＮＯ）、つまり２回目のＤＩＳ信号である場合には、動作がＳ８へ進む。
【００４２】
制御部１は、ＤＣＳ信号及びＴＣＦ信号を送出し（Ｓ８）、ＴＣＦ信号に対する応答信号であるＣＦＲ信号を受信したか否かを判断する（ステップＳ９）。受信しない場合には（Ｓ９：ＮＯ）動作がＳ８に戻る。ＣＦＲ信号を受信した場合（Ｓ９：ＹＥＳ）、制御部１は、画像データを送信するファクシミリ送信処理を行い（ステップＳ１０）、動作が終了する。
【００４３】
上記第１モードでは、第２モードに比べて短い時間の待機によってＤＩＳ信号に応答することが可能であるので、課金制を敷いている通信システムにあっては、第１モードの方が有利である。一方、第２モードでは確実に３秒間待ってＤＩＳ信号に応答するため、エコーキャンセラーのオン状態への復帰を確実に行うことができる。
【００４４】
なお、上述した例では、ファクシミリ２０が、Ｖ．３４通信モードの機能を搭載していない非Ｖ．３４端末であるとしたが、Ｖ．３４通信モードの機能は搭載しているもののその機器設定によりＶ．３４通信モードの機能を果たせないようにしている非Ｖ．３４端末であっても良い。つまり、非Ｖ．３４端末（Ｖ．３４通信モードの機能を果たせない通信端末装置、言い換えるとＶ．３４通信モードの通信機能が履行不可な通信端末装置）は、元々Ｖ．３４通信モードの機能を搭載していない通信端末装置、または、Ｖ．３４通信モードの機能は搭載していても機器設定によってその機能を発揮できないようになっている通信端末装置の何れであっても、本発明を適用することが可能である。
【図面の簡単な説明】
【００４５】
【図１】本発明のファクシミリ装置の構成を示す図である。
【図２】本発明のファクシミリ装置の画像データを送信する際の動作手順を示すフローチャートである。
【図３】本発明のファクシミリ装置の画像データを送信する際の動作手順を示すフローチャートである。
【符号の説明】
【００４６】
１  制御部
６  ＲＯＭ
１０  モデム
１１  ＮＣＵ
２０  ファクシミリ装置
１２０  ファクシミリ装置
【図１】
2007194725.tif 000003
【図２】
2007194725.tif 000004
【図３】
2007194725.tif 000005